(57)【要約】【課題】  ウェブ５ａとフランジ５ｂを備えた構成のエレベータのかごの上枠に、エレベータ機器７を取り付けるものにおいて、前記上枠に穴あけ加工をせずに、エレベータ機器７を取り付けること。【解決手段】  ホルダー１０と、ブラケット２０と、ホルダー１０とブラケット２０とを連結する締結具３０を有する支持具８を使って、エレベータ機器７を取り付ける。ホルダー１０にはエレベータ機器７を取り付けておく。そして、ホルダー１０とブラケット２０とでフランジ５ｂを挟み、締結具３０は、フランジ５ｂを挟まずに、ホルダー１０とブラケット２０とを連結する。【選択図】      図２
2018008770.tif 000002
【特許請求の範囲】
【請求項１】
エレベータのかごの上枠にエレベータ機器を取り付ける支持具を備えたものにおいて、
前記上枠はウェブとフランジを有しており、
前記支持具は、ホルダーと、ブラケットと、前記ホルダーとブラケットとを連結する締結具を有しており、
前記ホルダーと前記ブラケットにより、前記フランジをその厚さ方向から挟むとともに、前記フランジをウェブ側及び反ウェブ側から挟む構成であり、
前記締結具は、前記フランジを挟まずに、前記ホルダーと前記ブラケットとを連結する構成であり、
前記ホルダー又は前記ブラケットの反ウェブ側には、前記エレベータ機器が取り付けられることを特徴とするエレベータ装置。
【請求項２】
エレベータのかごの上枠にエレベータ機器を取り付ける支持具を備えたものにおいて、
前記上枠はウェブとフランジを有しており、
前記支持具は、ホルダーと、ブラケットと、前記ホルダーとブラケットとを連結する締結具を有しており、
前記ホルダーは、前記フランジの前記ウェブ側に係止可能な係止部と、前記フランジに当接する第1当接部と、前記ブラケットに対向する第２当接部と、前記第１当接部と第２当接部とを連結する中間部と、前記中間部に設けられた前記締結具が貫通する穴とを備えており、
前記ブラケットは、前記フランジを挟んで前記ホルダーの第1当接部に対向する第１対向部と、前記フランジを挟まずに前記ホルダーの第２当接部に対向する第２対向部と、前記第１対向部と第２対向部とを連結する連結部と、前記連結部に設けられた前記締結具が貫通する穴とを備えており、
前記締結具は、前記フランジを挟まずに、前記ホルダーの中間部と前記ブラケットの連結部とを連結する構成であり、
前記ホルダーの第２当接部側又は前記ブラケットの第２対向部側には、前記エレベータ機器が取り付けられる取付部が備えられていることを特徴とするエレベータ装置。
【請求項３】
前記締結具は、ボルトとナットを有しており、前記ボルトは前記フランジの反ウェブ側に接するように配置されることを特徴とする請求項１又は２に記載のエレベータ装置。
【請求項４】
前記フランジの反ウェブ側にはリップが設けられており、前記ブラケットは、前記リップを跨いで配置されることを特徴とする請求項１乃至３の何れかに記載のエレベータ装置。
【請求項５】
前記締結具は、ボルトとナットを有しており、前記ボルトは前記リップの反ウェブ側に接するように配置されることを特徴とする請求項４に記載のエレベータ装置。
【発明の詳細な説明】
【技術分野】
【０００１】
本発明は、エレベータのかごの上枠に、チャイムやプリント板ボックスなどのエレベータ機器を取り付ける装置に関するものである。
【背景技術】
【０００２】
エレベータのかごの上枠にエレベータ機器、例えばかご上保守運転装置を取り付けたものとして、特許文献１の図１３に記載のものがある。
【先行技術文献】
【特許文献】
【０００３】
【特許文献１】特開平９―３０７４７号公報
【発明の概要】
【発明が解決しようとする課題】
【０００４】
しかしながら、前記の従来装置では、ボルト等を使って上枠にエレベータ機器を取り付けるのが普通であるため、上枠に穴あけ加工をする必要があるという問題がある。そこで本発明は、上枠に穴あけ加工をすることなく、上枠にエレベータ機器を取り付けられるようにしたものである。
【課題を解決するための手段】
【０００５】
本発明は、エレベータのかごの上枠にエレベータ機器を取り付ける支持具を備えたものにおいて、前記上枠はウェブとフランジを有しており、前記支持具は、ホルダーと、ブラケットと、前記ホルダーとブラケットとを連結する締結具を有しており、前記ホルダーと前記ブラケットにより、前記フランジをその厚さ方向から挟むとともに、前記フランジをウェブ側及び反ウェブ側から挟む構成であり、前記締結具は、前記フランジを挟まずに、前記ホルダーと前記ブラケットとを連結する構成であり、前記ホルダー又は前記ブラケットの反ウェブ側には、前記エレベータ機器が取り付けられることを特徴とするものである。
【０００６】
また本発明は、エレベータのかごの上枠にエレベータ機器を取り付ける支持具を備えたものにおいて、前記上枠はウェブとフランジを有しており、前記支持具は、ホルダーと、ブラケットと、前記ホルダーとブラケットとを連結する締結具を有しており、前記ホルダーは、前記フランジの前記ウェブ側に係止可能な係止部と、前記フランジに当接する第1当接部と、前記ブラケットに対向する第２当接部と、前記第１当接部と第２当接部とを連結する中間部と、前記中間部に設けられた前記締結具が貫通する穴とを備えており、前記ブラケットは、前記フランジを挟んで前記ホルダーの第1当接部に対向する第１対向部と、前記フランジを挟まずに前記ホルダーの第２当接部に対向する第２対向部と、前記第１対向部と第２対向部とを連結する連結部と、前記連結部に設けられた前記締結具が貫通する穴とを備えており、前記締結具は、前記フランジを挟まずに、前記ホルダーの中間部と前記ブラケットの連結部とを連結する構成であり、前記ホルダーの第２当接部側又は前記ブラケットの第２対向部側には、前記エレベータ機器が取り付けられる取付部が備えられていることを特徴とするものである。
【０００７】
更に本発明は、前記締結具は、ボルトとナットを有しており、前記ボルトは前記フランジの反ウェブ側に接するように配置されることを特徴とするものである。
更にまた本発明は、前記フランジの反ウェブ側にはリップが設けられており、前記ブラケットは、前記リップを跨いで配置されることを特徴とするものである。
また本発明は、前記締結具は、ボルトとナットを有しており、前記ボルトは前記リップの反ウェブ側に接するように配置されることを特徴とするものである。
【発明の効果】
【０００８】
本発明によれば、かごの上枠に穴あけ加工をすることなく、上枠にエレベータ機器を取り付けることができる。
【図面の簡単な説明】
【０００９】
【図１】本発明の実施の形態によるかご上の概略構成を示す図である。
【図２】図１の要部の断面図である。
【図３】本発明の他の実施の形態を示す図である。
【図４】本発明の他の実施の形態を示す図である。
【図５】本発明の他の実施の形態を示す図である。
【図６】エレベータの上枠の他の例を示す図である。
【発明を実施するための形態】
【００１０】
本発明の実施の形態について図により説明する。図１は本実施の形態によるかご上の概略構成を示す図、図２は図１の要部の断面図である。
図において、１はかごであり、かご室２、一対の竪枠３，３及び竪枠３，３の上部に固定された上枠４を備えている。この例では、上枠４は、一対のリップ溝形鋼５，６からなっている。
【００１１】
５ａはリップ溝形鋼５のウェブ、５ｂは同じくフランジ、５ｃはリップである。７はチャイムやプリント板ボックス等のエレベータ機器である。
８はエレベータ機器７をリップ溝形鋼５に取り付ける支持具であり、ホルダー１０と、ブラケット２０と、ホルダー１０とブラケット２０とを連結する締結具３０を有している。
【００１２】
ホルダー１０は、ウェブ５ａに係止可能な係止部１１、フランジ５ｂに当接する第1当接部１２、ブラケット２０に対向する第２当接部１３、第１当接部１２と第２当接部１３とを連結する中間部１４、締結具３０を貫通させるために中間部１４に設けられた長手が図２の左右方向の長穴１５、エレベータ機器７が取り付けられる取付部１６を備えている。
【００１３】
ブラケット２０は、フランジ５ｂを挟んでホルダー１０の第1当接部１２に対向する第１対向部２１、フランジ５ｂを挟まずにホルダー１０の第２当接部１３に対向する第２対向部２２、第１対向部２１と第２対向部２２とを連結する連結部２３、締結具３０を貫通させるために連結部２３に設けられた長手が図２の左右方向の長穴２４を備えている。また図２に示すように、第１対向部２１はフランジ５ｂの厚さ分だけ、第２対向部２２より短くなっている。
【００１４】
締結具３０は、ボルト３１とナット３２を有しており、ボルト３１はフランジ５ｂを挟まずに、ホルダー１０の長穴１５とブラケット２０の長穴２４に挿入されて、ホルダー１０とブラケット２０とを連結する構成であり、リップ５ｃに接するように配置されている。
【００１５】
本実施の形態において、エレベータ機器７は予めホルダー１０の取付部１６に取り付けておき、ホルダー１０とブラケット２０でフランジ５ｂを上下（厚さ方向）から挟み、締結具３０でホルダー１０とブラケット２０とを連結する。このとき、長穴１５及び２４を利用して、ボルト３１がリップ５ｃに接するように取り付ける。
これにより、リップ溝形鋼５、即ち上枠４に穴あけ加工を施すことなく、上枠４にエレベータ機器７を取り付けることができる。
【００１６】
前記のように、本実施の形態の支持具８は、ホルダー１０の第1当接部１２とブラケット２０の第１対向部２１とでフランジ５ｂを上下（厚さ方向）から挟み、更に、ホルダー１０の係止部１１とボルト３１とでフランジ５ｂを左右（ウェブ５ａ側及び反ウェブ５ａ側）から挟むため、エレベータ機器７を上枠４に確実に取り付けることができる。
【００１７】
更に、本実施の形態では、リップ５ｃがブラケット２０の連結部２３に接するか又は近接した位置にくるため、ブラケット２０がリップ５ｃを跨ぐ形になるため、ブラケット２０はリップ５ｃから外れにくくなる。そのため、ボルト３１がリップ５ｃから離れて取り付けられたとしても、実用上問題なく実施可能である。また、ブラケット２０の設置位置は図２の左右方向に調節可能であるため、長穴２４は丸穴にすることも可能である。
【００１８】
前記の実施の形態では、リップ溝形鋼５の上方のフランジ５ｂに支持具８を取り付けたが、図３に示すように、下方のフランジ５ｂに支持具８を取り付けることも可能である。
【００１９】
図４は、上枠４として、溝形鋼が使用されている場合における実施の形態である。図において、図２と同一符号は同一のものを示しており、４０は溝形鋼、４０ａは溝形鋼４０のウェブ、４０ｂは同じくフランジである。
４１はエレベータ機器７を溝形鋼４０に取り付ける支持具であり、ホルダー１０と、ブラケット５０と、ホルダー１０とブラケット５０とを連結する締結具３０を有している。
【００２０】
ブラケット５０は、フランジ４０ｂを挟んでホルダー１０の第1当接部１２に対向する第１対向部５１と、フランジ４０ｂを挟まずにホルダー１０の第２当接部１３に対向する第２対向部５２と、第１対向部５１と第２対向部５２とを連結する連結部５３と、締結具３０を貫通させるために連結部５３に設けられた長手が図４の左右方向の長穴５４とを備えている。
図４に示すように、第２対向部５２は、フランジ４０ｂの厚さ分だけ、第１対向部５１から第２当接部１３側に突出した断面Ｌ字形になっている。
【００２１】
締結具３０のボルト３１はフランジ４０ｂを挟まずに、ホルダー１０の長穴１５とブラケット２０の長穴５４に挿入されて、ホルダー１０とブラケット５０とを連結する構成であり、フランジ４０ｂの先端に接するように配置されている。
【００２２】
この形態において、エレベータ機器７は予めホルダー１０の取付部１６に取り付けておき、ホルダー１０とブラケット５０でフランジ４０ｂを上下から挟み、締結具３０でホルダー１０とブラケット５０とを連結する。このとき、長穴１５及び５４を利用して、ボルト３１がフランジ４０ｂの先端に接するように取り付ける。
これにより、溝形鋼４０、即ち上枠４に穴あけ加工を施すことなく、上枠４にエレベータ機器７を取り付けることができる。
【００２３】
このように、この実施の形態の支持具４１は、ホルダー１０の第1当接部１２とブラケット５０の第１対向部５１とでフランジ４０ｂを上下から挟み、更に、ホルダー１０の係止部１１とボルト３１とでフランジ４０ｂを左右から挟むため、エレベータ機器７を上枠４に確実に取り付けることができる。
【００２４】
本実施の形態においても、前記の実施の形態と同様に、ブラケット５０の設置位置は図４の左右方向に調節可能であるため、長穴５４は丸穴にすることも可能である。更に、この実施の形態では、溝形鋼４０の上方のフランジ４０ｂに支持具５１を取り付けたが、前記の実施の形態と同様に、下方のフランジ４０ｂに取り付けることも可能である。
【００２５】
図５は、図２の実施の形態と同じく、上枠４としてリップ溝形鋼５，６が使用されている場合における実施の形態である。図２の場合との相違点は、ホルダー１０に設けられていた取付部１６を削除してホルダー６１とし、またブラケット２０に取付部２５を設けてブラケット６２として、支持具６０を構成したものである。
【００２６】
この実施の形態においても、図２の場合と同様の効果が期待できる。
また、前記の実施の形態と同様に、支持具６０を下方のフランジ５ｂに取り付けることも可能である。
【００２７】
図６は、上枠としてハット形鋼が使用されたエレベータの場合についての実施の形態であり、図６（ａ）はリップハット形鋼７０、図６（ｂ）はハット形鋼７１を示している。各形鋼の場合も、フランジ７０ａ及び７１ａに、支持具を取り付ければ、前記の実施の形態と同様に、穴あけ加工をすることなく、上枠にエレベータ機器を取り付けることができる。
【００２８】
以上の実施の形態では、支持具でフランジを挟むようにしてエレベータ機器を上枠に取り付けている。これは、頻繁に昇降を繰り返すエレベータかご用としては、フランジを挟むようにエレベータ機器を取り付けるほうが安定するからである。しかし、リップを挟むようにエレベータ機器を取り付けることも可能である。
【符号の説明】
【００２９】
１  かご
４  上枠
５ａ，４０ａ  ウェブ
５ｂ，４０ｂ，７０ａ，７１ａ  フランジ
５ｃ  リップ
７  エレベータ機器
８，４１，６０  支持具
１０，６１  ホルダー
１１  係止部
１２  第１当接部
１３  第２当接部
１４  中間部
１５，２４，５４  長穴
１６，２５  取付部
２０，５０，６２  ブラケット
２１，５１  第１対向部
２２，５２  第２対向部
２３，５３  連結部
３０  締結具
【図１】
2018008770.tif 000003
【図２】
2018008770.tif 000004
【図３】
2018008770.tif 000005
【図４】
2018008770.tif 000006
【図５】
2018008770.tif 000007
【図６】
2018008770.tif 000008